(57)【特許請求の範囲】
【請求項１】
パチンコ玉を搬送する搬送ベルトを備えた搬送ケース本体と、該搬送ケース本体に装着されるケースカバーと、前記搬送ベルトと前記ケースカバーとの間に研磨布を備えたパチンコ玉研磨搬送装置において、
回転する前記搬送ベルトに前記研磨布を押し当てて前記搬送ベルトを払拭するベルト払拭機構を備え、
前記ベルト払拭機構は、前記ケースカバーに形成された開口と、前記研磨布を背面から搬送ベルトに向けて押圧するガイドプレートに前記開口と対向して形成された貫通孔との内部を進退可能に緩挿する押し出し部材と、該押し出し部材を押圧する押圧部材とを備えた
ことを特徴とするパチンコ玉研磨搬送装置。
【請求項２】
前記研磨布を搬送ベルトに圧接した前記押し出し部材は、前記研磨布の払拭面を入れ替える際の研磨布の張設力によって前記搬送ベルトから離間した元の状態に復帰する
ことを特徴とする請求項1項に記載のパチンコ玉研磨搬送装置。
【請求項３】
前記ベルト払拭機構は、導入樋から前記搬送ベルトと研磨布との間へのパチンコ玉の導入停止と連動して駆動される駆動機構を備えた
ことを特徴とする請求項1項または２項に記載のパチンコ玉研磨搬送装置。
【請求項４】
前記ベルト払拭機構は、前記押し出し部材を介して前記研磨布に洗浄液を供給する洗浄液注入装置を設けた
ことを特徴とする請求項1項〜３項のいずれかに記載のパチンコ玉研磨搬送装置。
【発明の詳細な説明】
【技術分野】
【０００１】
本発明は、研磨布と搬送ベルトの間でパチンコ玉を研磨しながら搬送するパチンコ玉研磨搬送装置、とくに、搬送ベルトのパチンコ玉搬送面を払拭するベルト払拭機構を備えたパチンコ玉研磨搬送装置に関する。
【背景技術】
【０００２】
一般にパチンコ玉を研磨しながら搬送するパチンコ玉研磨搬送装置、例えば、特開２００３−１５４１４６号公報（特許文献１）の「パチンコ玉研磨装置」には、搬送ベルト２１と、研磨ガイド９と、当該研磨ガイド９に形成したガイド溝１１と、当該ガイド面上に装着した研磨材１３と備え、当該ガイド溝１１が受け入れたパチンコ玉を、当該ガイド溝１１の溝底と当該搬送ベルト２１とにより押圧しながら搬送研磨するパチンコ玉研磨装置１が開示されている。そして、前記搬送ベルト２１の搬送面側の少なくとも一部には、着脱手段１９を介してカバーシート２５を設け、このカバーシート２５によって、搬送ベルト２１に付着する要因であるパチンコ玉の汚れを払拭している。また、このカバーシート２５に付着したパチンコ玉の汚れは、これをはずしてきれいなものと取り替えるだけで、パチンコ玉の汚れ払拭効果を復元することができ、遊技場作業員の労力を軽減することができる。しかも、このカバーシート２５を設けることにより、搬送ベルト２１の表面を常にきれいに保つことができるので、パチンコ玉の研磨効率を高く保つことができるとの構成と作用効果も開示されている。
【０００３】
しかしながら、上述した技術では、周回する搬送ベルト２１に別の部材であるカバーシート２５を設け、このカバーシート２５に研磨材１３と同様にパチンコ玉の汚れを払拭する機能を持たせたものである。従って、このカバーシート２５も搬送ベルト２１の周回に伴って常時、パチンコ玉を磨いていることになる。このため、カバーシート２５の磨耗も激しくなり、度々の交換が必要となってくる。更に、このカバーシート２５を交換するためには、搬送ベルト２１の周回を停止する必要がある。従って、カバーシート２１の交換のために搬送ベルト２１の停止、即ち、パチンコ玉研磨搬送装置の停止による装置の稼働率の低下が生じる恐れがあるばかりか、この交換に要する工数と費用が増加すると言う問題点があった。
【０００４】
【特許文献１】特開２００３−１５４１４６号公報
【発明の開示】
【発明が解決しようとする課題】
【０００５】
本発明は、上述した従来技術における問題点を解決するためになされたもので、本発明のパチンコ玉研磨搬送装置は、パチンコ玉を搬送する搬送ベルトを備えた搬送ケース本体と、該搬送ケース本体に装着されるケースカバーと、前記搬送ベルトと前記ケースカバーとの間に研磨布を備えたパチンコ玉研磨搬送装置において、回転する前記搬送ベルトに前記研磨布を押し当てて前記搬送ベルトを払拭するベルト払拭機構を備えことにより、パチンコ玉を払拭するための既存の研磨布を搬送ベルトの払拭にも使用するため、搬送ベルトの汚れを払拭するための別部材を設けることなく、安価で効率的に搬送ベルトに付着した汚れを払拭することができ、従って、搬送ベルトの汚れを払拭するために搬送ベルトの周回を停止、即ち、パチンコ玉研磨搬送装置の停止の必要もなく、装置の稼働率の低下が生じる恐れが少ない。更に、研磨布自体に何らの加工も施すことがないので、研磨布の払拭面積を減少させることなく、しかも、研磨布の交換（払拭面の入れ替え）の直前に搬送ベルトの払拭を行うことにより、研磨布の交換（払拭面の入れ替え）と相まってパチンコ玉の払拭性能を向上させることができるなどの効果を有するパチンコ玉研磨搬送装置を提供することを目的とする。
【課題を解決するための手段】
【０００６】
上述した従来技術の問題点を解決するために、本発明は、パチンコ玉を搬送する搬送ベルトを備えた搬送ケース本体と、該搬送ケース本体に装着されるケースカバーと、前記搬送ベルトと前記ケースカバーとの間に研磨布を備えたパチンコ玉研磨搬送装置において、回転する前記搬送ベルトに前記研磨布を押し当てて前記搬送ベルトを払拭するベルト払拭機構を備え、前記ベルト払拭機構は、前記ケースカバーに形成された開口と、前記研磨布を背面から搬送ベルトに向けて押圧するガイドプレートに前記開口と対向して形成された貫通孔との内部を進退可能に緩挿する押し出し部材と、該押し出し部材を押圧する押圧部材とを備えたものである。
【０００７】
上記のように構成することにより、パチンコ玉を払拭するための既存の研磨布を搬送ベルトの払拭にも使用するため、搬送ベルトの汚れを払拭するための別部材を設けることなく、安価で効率的に搬送ベルトに付着した汚れを払拭することができ、従って、搬送ベルトの汚れを払拭するために搬送ベルトの周回を停止、即ち、パチンコ玉研磨搬送装置の停止の必要もなく、装置の稼働率の低下が生じる恐れが少ない。更に、研磨布自体に何らの加工（孔を開ける）も施すことがないので、研磨布の払拭面積を減少させることなく、しかも、研磨布の交換（払拭面の入れ替え）の直前に搬送ベルトの払拭を行うことにより、研磨布の交換（払拭面の入れ替え）と相まってパチンコ玉の払拭性能を向上させることができる。
また、上記のように構成することにより、少ない力で押し出し部材を操作することができ、しかも、該押し出し部材の圧接面によって研磨布を搬送ベルトの表面に圧接させることにより、搬送ベルトの表面の汚れを効果的に払拭することができる。
【００１０】
次の発明は、前記研磨布を搬送ベルトに圧接した前記押し出し部材は、前記研磨布の払拭面を入れ替える際の研磨布の張設力によって前記搬送ベルトから離間した元の状態に復帰するものである。
【００１１】
上記のように構成することにより、汚れた研磨布を巻き上げ張設すると同時にその張設力により、押し出し部材を初期の状態に復帰させることができ、特別に押し出し部材を復帰させる操作が不要であり、復帰忘れなどの事態を生じせしめる恐れが少ない。
【００１２】
次の発明は、前記ベルト払拭機構は、導入樋から前記搬送ベルトと研磨布との間へのパチンコ玉の導入停止と連動して駆動される駆動機構を備えたものである。
【００１３】
上記のように構成することにより、パチンコ玉研磨搬送装置の停止と同時に搬送ベルトのパチンコ玉搬送面の払拭を開始することにより払拭忘れを防止することが可能である。
【００１４】
次の発明は、前記ベルト払拭機構は、前記押し出し部材を介して前記研磨布に洗浄液を供給する洗浄液注入装置を設けたものである。
【００１５】
上記のように構成することにより、研磨布に供給された洗浄液と研磨布を押し出し部材により搬送ベルトに圧接することによって、搬送ベルトのパチンコ玉搬送面に付着した汚れを効果的に払拭することができる。
【発明の効果】
【００１６】
パチンコ玉を搬送する搬送ベルトを備えた搬送ケース本体と、該搬送ケース本体に装着されるケースカバーと、前記搬送ベルトと前記ケースカバーとの間に研磨布を備えたパチンコ玉研磨搬送装置において、回転する前記搬送ベルトに前記研磨布を押し当てて前記搬送ベルトを払拭するベルト払拭機構を備えたことにより、パチンコ玉を払拭するための既存の研磨布を搬送ベルトの払拭にも使用するため、搬送ベルトの汚れを払拭するための別部材を設けることなく、安価で効率的に搬送ベルトに付着した汚れを払拭することができ、従って、搬送ベルトの汚れを払拭するために搬送ベルトの周回を停止、即ち、パチンコ玉研磨搬送装置の停止の必要もなく、装置の稼働率の低下が生じる恐れが少ない。更に、研磨布自体に何らの加工（孔を開ける）も施すことがないので、研磨布の払拭面積を減少させることなく、しかも、研磨布の交換（払拭面の入れ替え）の直前に搬送ベルトの払拭を行うことにより、研磨布の交換（払拭面の入れ替え）と相まってパチンコ玉の払拭性能を向上させることができる。
【発明を実施するための最良の形態】
【００１７】
図１は、本発明のパチンコ玉研磨搬送装置であるパチンコ玉研磨揚送装置を示した斜視図、図２は、図１の要部斜視図、図３は、ベルト払拭機構を示した斜視図、図４は、同第２実施例を示した斜視図、図５は、同第３実施例を示した斜視図である。
【００１８】
本発明のパチンコ玉研磨搬送装置、例えば図１に示すような、パチンコ島（図示しない）の下部に回収されたパチンコ玉Ｐをパチンコ島（図示しない）の上部に配設された上部タンク（図示しない）に研磨しながら搬送（即ち、揚送）するパチンコ玉研磨揚送装置１００は、床に固定された床敷きプレレート（図示しない）などに敷設されるベースプレート１と、該ベースプレート１上に立設された揚送塔２ならびに該揚送塔２に配設されたベルト払拭機構３とを備えている。
【００１９】
ベースプレート１は、矩形状の金属平板に形成され、アンカーボルト（図示しない）など任意な固定部材でホール床面などに固定された床敷きプレレート（図示しない）上に敷設されている。
【００２０】
揚送塔２は、断面コ字形状（図２参照）で縦長形状を成している搬送ケース本体４ならびにケースカバー５を有し、該搬送ケース本体４とケースカバー５は、各々の開放側を対向させて配設するとともに、その一側辺がヒンジ（図示しない）などで枢着されている。即ち、ケースカバー５は、搬送ケース本体４に対して開閉自在に枢着されている。そして、この搬送ケース本体４のコ字形状内部には、駆動機構４１によって駆動される搬送ベルト４２が周回可能に内設されている。また、ケースカバー５のコ字形状内部には、前述の搬送ベルト４２に対向するように研磨布５１が上下方向に移動可能に配設されている。そして、この研磨布５１の背面には、弾性を有するガイドプレート５２（図２参照）が配設されていて、該研磨布５１を常時、搬送ベルト４２方向に付勢している。
【００２１】
以下、各構成部品について詳述する。
搬送ケース本体４は、立壁４ａと該立壁４ａの両側縁に立設された側壁４ｂとにより形成され、ケースカバー５側を開放した断面コ字形状（図２参照）の縦長形状を成している。この搬送ケース本体４の下部には、駆動機構４１が配設され、外側には、玉貯留タンク（図示省略）から玉磨き前のパチンコ玉Ｐを取り込むための導入樋４４が形成されている。この、導入樋４４の内部には、取り込んだパチンコ玉を整列させる整流路４ａに形成されている。更に、上部には、玉磨き後のパチンコ玉Ｐを排出するための上部ダクト４５が形成されている。そして、前述の断面コ字形状の内部には、駆動機構４１（４１除く）と搬送ケース本体４の上部に設けられた回転軸４３との間に周回可能に張架された搬送ベルト４２が収納されている。
【００２２】
ケースカバー５は、立壁５ａと該立壁５ａの両側縁に立設された側壁５ｂをとにより形成され、搬送ベルト４２側を開放した断面コ字形状（図２参照）の縦長形状を成し、前述したように搬送ケース本体４に対して開閉可能に対向して配設されている。このケースカバー５の上下端には、各々研磨布５１の反転支持部（図示しない）が形成されている。また、前述の立壁５ａ外面（搬送ベルト４２と反対側）の下方部分には、巻取機構（上側）６と装着機構（下側）７とが離間して配設されている。尚、巻取機構（上側）６と装着機構（下側）７の位置関係は、上下逆に配置しても良い）更に、立壁５ａと該立壁５ａの両側縁に立設された側壁５ｂとで画成された断面コ字形状の内部には、弾性を有するガイドプレート５２が配設されていて、常時、研磨布５１を搬送ベルト４２方向に付勢している。（尚、弾性を付与するのに別体のスプリングをガイドプレート５２の内部に配設したり、立壁５ａとガイドプレート５２の断面コ字形状内部にスプリングを配設したりしても良い）また、このガイドプレート５２の研磨布５１側には溝断面が半円形状の縦溝５２ａが形成されている。そして、パチンコ玉Ｐは、搬送ベルト４２の周回によって、研磨布５１をこの縦溝５２ａ内に圧接するとともに、縦溝５２ａをガイドとして上方へ移動するが、その過程で研磨布５１によりその表面が研磨される。（汚れが払拭される）
【００２３】
更に、ケースカバー５の立壁５ａの外面（搬送ベルト４２と反対側）下方部分に離間して配設されている巻取機構（上側）６と装着機構（下側）７との離間部５５には、横長の矩形形状を成す開口５３が形成されている。そして、ケースカバー５の断面コ字形状内部の側面には、開口５３の両側から外方（搬送ベルト４２と反対側）に突設されたガイド支柱３６が設けられている。また、前述したガイドプレート５２には、先の開口５３に対向する位置に、矩形状の貫通孔５４が形成されている。尚、貫通孔５４を形成する替わりに、ガイドプレート５２を上下に分割して空間を画成しても良い。要は、この部分を、ベルト払拭機構３の押し出し部材３１が進退できる構造であるなら他の構成でも良い。
【００２４】
前述の研磨布５１は、ケースカバー５の外面に配設された装着機構７にロール状態で装着され、その自由端をケースカバー５の下端に形成された回転軸（図示しない）に巻架した後に、断面コ字形状の内部を上方に引っ張られ、ケースカバー５の上端に形成された回転軸（図示しない）に巻架され、ケースカバー５の前面に引き出され、巻取機構６に巻き取られる。巻き取られた研磨布５１は、巻き取りレバー６１を回転させることによって、順次巻取機構６に巻き取られていく（巻き取りレバー６１に代えて、モータなどで巻き取っても良い）。尚、６２は、研磨布５１のたるみを防止するサポート部材である。
【００２５】
玉貯留タンク（図示省略）から導入樋４４に流入された玉磨き前のパチンコ玉Ｐは、搬送ケース本体４に収納された搬送ベルト４２とケースカバー５の内部に張設された研磨布５１の間に取り込まれ、搬送ベルト４２の周回に伴って上部ダクト４５方向に揚送される。このとき、研磨布５１は、回転せず、張設状態に維持されている。パチンコ玉Ｐは、搬送ベルト４２の周回に伴って研磨布５１の表面を転がりながら縦溝５２ａをガイドとして順次、上部ダクト４５方向に研磨されながら揚送される。
【００２６】
表面が汚れた研磨布５１は、閉店時など導入樋４４のパチンコ玉Ｐが流入していない状態で、巻取機構６で一定長さ（汚れた部分が搬送ベルト４２の前面から除かれる長さ）巻き取られる。そして、開店時、パチンコ玉研磨揚送装置１００は、運転開始される。
【００２７】
本発明の要旨を成すベルト払拭機構３は、ケースカバー５の外面（搬送ベルト４２と反対側）の下方部分に離間して配設された巻取機構６と装着機構７との間の離間部５５、即ち、研磨布５１が張設されていない部分に配設されている。また、この部分のケースカバー５には、前述したように、矩形状の開口５３が形成され、また、ガイドプレート５２には、該開口５３に対向した矩形状の貫通孔５４が形成されている。そして、前述のベルト払拭機構３の押し出し部材３１は、この矩形状の開口５３と開口５４の内部を前後に進退可能に配設されている。尚、巻取機構６と装着機構７の上下関係を入れ替えることも可能である。また、特許文献１に開示されているように、研磨布５１の巻き取りを自動化しても良い。要は、ベルト払拭機構３を配設するための、研磨布５１が張設されていない部分が形成されれば良い。
【００２８】
ベルト払拭機構３は、図１〜図３に示すように、ケースカバー５に形成された開口５３とガイドプレート５２に形成された貫通孔５４の内部を進退する押し出し部材３１と、研磨布５１を、押し出し部材３１により搬送ベルト４２に圧接させる押圧部材３５とで構成されている。
【００２９】
押し出し部材３１は、横長（ケースカバー５の幅方向）直方体形状の圧接体３１ａと、該圧接体３１ａと一体に成型され、それより一回り小さい横長直方体形状の被押圧部３１ｂとで構成されている。そして、前述の圧接体３１ａの研磨布５１側は、研磨布５１への圧接面３２として構成され、両側面には、圧接面３２側に底壁３３ａを有するガイド溝３３が形成されている。
【００３０】
また、押圧部材３５は、ケースカバー５の断面コ字形状内部の側面に形成され、開口５３の両側縁から外方（搬送ベルト４２と反対側）に突設されたガイド支柱３６と、該ガイド支柱３６間に架設された回転軸３７と、該回転軸３７に固定された一対のカム３８と、一方のガイド支柱３６の外側で、該回転軸３７に固定された操作レバー３９とで構成されている。この操作レバー３９は、通常は、ガイド支柱３６と平行な状態に維持されて、この操作レバー３９の位置では、カム３８は、被押圧部３１ｂを押圧していない。
【００３１】
このように構成されたベルト払拭機構３をケースカバー５の外面（搬送ベルト４２と反
対側）の下方部分に離間して配設された巻取機構６と装着機構７との間の離間部５５に組み付けるには、まず、研磨布５１を巻取機構６と装着機構７との間に張設する前に、押し出し部材３１をケースカバー５の内側に配設されているガイドプレート５２に形成された矩形状の貫通孔５４に挿入し、押し出し部材３１に形成されたガイド溝３３を、予め、離間部５５に形成された開口５３の両側から外方に突設されているガイド支柱３６の端部に嵌合する。次に、その状態で、押し出し部材３１を開口５３内に嵌合させて、押圧部材３５の一対のカム３８に極めて近い位置または軽く接触する位置まで押し込む。このことにより、押し出し部材３１は、ガイドプレート５２に形成された貫通孔５４とケースカバー５に形成された開口５３の内周縁ならびにガイド溝３３とガイド支柱３６との嵌合状態により、ケースカバー５に対する上下、左右ならびに前方への飛び出しが（「が」除く）規制される。このとき、押し出し部材３１の圧接体３１ａの圧接面３２は、研磨布５１の裏面にわずかに接触する状態に維持されている。
【００３２】
次に、ベルト払拭機構３の使用方法について説明する。
一般的に、パチンコ玉研磨揚送装置１００によるパチンコ玉Ｐの研磨（汚れの払拭）は、搬送ベルト４２を周回させてパチンコ玉Ｐを揚送する時（このとき、研磨布５１は周回していない）におこなわれるが、その際に研磨布５１に付着した汚れは、閉店時にパチンコ玉研磨揚送装置１００を停止させて、巻取機構６を手動あるいは自動などの手段で操作して、研磨布５１を上方に移動し、汚れの付着していない未使用の払拭面を搬送ベルト４２のパチンコ玉搬送面４６に対向させている。ベルト払拭機構３の使用は、この研磨布５１の払拭面の入れ替え時（使用後の汚れた払拭面から未使用の払拭面への移動を言う）の直前に実施される。
【００３３】
まず、閉店時にパチンコ玉研磨揚送装置１００を停止させて、研磨布５１の払拭面の入れ替えを実施する直前に、（尚、この時点では、パチンコ島側でパチンコ玉Ｐの搬送を停止したり、後述の第２実施例に示すようにシャッター機構を用いたりして、パチンコ玉研磨揚送装置１００の内部にパチンコ玉Ｐが取り込まれないようにし、かつ搬送ベルト４２を数回周回させ、研磨布５１と搬送ベルト４２との間にパチンコ玉が存在しないようにしてある。）ベルト払拭機構３の押圧部材３５の操作レバー３９を上方に回転操作する。この操作レバー３９の回転により、カム３８が回転して、押し出し部材３１を搬送ベルト４２側に押し進める。ケースカバー５から搬送ベルト４２側に押し込まれた押し出し部材３１は、ガイドプレート５２に形成された貫通孔５４の内部を通過して、研磨布５１の裏面に接触し、該研磨布５１を定位置（点線・・Ａ１）から搬送ベルト４２側に押し出し、搬送ベルト４２のパチンコ玉搬送面４６に圧接させる（２点鎖線・・Ａ２）。このように、研磨布５１を搬送ベルト４２に圧接させた状態でパチンコ玉研磨揚送装置１００を稼動させて、搬送ベルト４２を周回させる。尚、この周回時では、パチンコ玉Ｐは、導入樋４４からパチンコ玉研磨揚送装置１００に取り込まれないようにしておく。この搬送ベルト４２の周回により、搬送ベルト４２のパチンコ玉搬送面４６に付着されている汚れは、研磨布５１によって払拭される。そして、この搬送ベルト４２の周回が完了した後、研磨布５１を上方に巻き取り、研磨布５１の払拭面の入れ替えを実施する。このような作業により、次に、パチンコ玉研磨揚送装置１００を稼動させるときには、研磨布５１の払拭面も搬送ベルト４２のパチンコ玉搬送面４６も汚れの無い状態でパチンコ玉Ｐを揚送研磨することができ、研磨（払拭）効率を向上させることができる。
【００３４】
尚、ベルト払拭機構３を使用する直前に、研磨布５１をわずかに巻き取り、未使用な払拭面を搬送ベルト４２に圧接させて、搬送ベルト４２の周回を行えば、更に、研磨（払拭）効率を向上させることができる。
【００３５】
図４は、パチンコ玉研磨揚送装置の第２実施例を示したものである。この実施例では、パチンコ玉研磨揚送装置の稼動状況と連動させ、ベルト払拭機構３を自動的に作動させたものである。尚、第１実施例と類似の構成には、同符号を付して詳細な説明は省略する。このパチンコ玉研磨揚送装置１１０は、床などに設置されるベースプレート１と、該ベースプレート１上に立設された揚送塔２ならびに該揚送塔２に配設されたベルト払拭機構３とを備えている。そして、該揚送塔２は、搬送ケース本体４と該搬送ケース本体４の開放側の一側辺に開閉自在に枢着されたケースカバー５とを備えている。この搬送ケース本体４には、モータ内蔵プーリ４１によって駆動される搬送ベルト４２が周回可能に内設され、ケースカバー５には、前述の搬送ベルト４２に対向する研磨布５１が上下方向に移動可能に配設されている。この研磨布５１は、第１実施例同様に、ケースカバー５の内面と研磨布５１の裏面との間に配設された弾性を有するガイドプレート５２により常時、搬送ベルト４２方向に付勢されている。そして、該ケースカバー５の前面（搬送ベルト４２と反対側）下方部分には、研磨布５１の巻取機構（上側）６と装着機構（下側）７とが離間して配設されている。
【００３６】
本実施例におけるベルト払拭機構３も、第１実施例と同様に、ケースカバー５の前面（搬送ベルト４２と反対側）下方部分に配設された巻取機構（上側）６と装着機構（下側）７との離間部分に設けられているが、操作レバー３９の操作をソレノイド３４で行うよう構成されている。
【００３７】
一方、搬送ケース本体４の下方に設けられているパチンコ玉Ｐの導入樋４４の下側には、導入樋４４に取り込まれるパチンコ玉Ｐの流れを制御するシャッター機構４７が配設されている。このシャッター機構４７は、ベース４７ａと、このベース４７ａの両側かつパチンコ玉Ｐの流入側端部に立設された支持プレート４７ｂと、この支持プレート４７ｂ間に架設された支軸４７ｃと、この支軸４７ｃに上下に揺動可能に軸止されたシャッタープレート４７ｄと、このシャッタープレート４７ｄを上下に揺動させるソレノイド４７ｅとで構成されている。そして、該シャッタープレート４７ｄの上面には、先端に係止爪４７ｇを有する複数の係止プレート４７ｆが間隔をおいて縦設されている。このシャッタープレート４７ｄの上面に立設された複数の係止プレート４７ｆは、前述した導入樋４４の底壁に形成されたパチンコ玉Ｐの流れを整える整流路４４ａの底に穿設された溝孔（図示しない）に対応するように形成されている。このため、ソレノイド４７ｅを作動させ、支軸４７ｃを中心としてシャッタープレート４７ｄを上方に揺動させると、係止プレート４７ｆの先端に形成した係止爪４７ｇが前述の溝孔（図示しない）から整流路４４ａ内に突出してパチンコ玉Ｐの流れを堰き止めるものである。
【００３８】
次に、第２実施例のベルト払拭機構３の使用方法について説明する。まず、閉店時にパチンコ玉研磨揚送装置１１０の停止操作を指令すると、その信号がシャッター機構４７のソレノイド４７ｅに送信され、ソレノイド４７ｅを作動させ、支軸４７ｃを中心としてシャッタープレート４７ｄを上方に揺動させる。このシャッタープレート４７ｄの揺動により、導入樋４４からパチンコ玉揚送面４６に取り込まれるパチンコ玉Ｐが堰き止められる。その後、搬送ベルト４２を一定時間周回させ、内部のパチンコ玉Ｐを上部ダクト４５から上部タンク（図示しない）に全部排出した後に、ベルト払拭機構３のソレノイド３４に信号を送信し、ソレノイド３４を作動させ、ベルト払拭機構３の押圧部材３５の操作レバー３９を上方に回転操作する。この操作レバー３９の回転により、カム３８が回転して、押し出し部材３１を搬送ベルト４２側に押し進める。ケースカバー５から搬送ベルト４２側に押し込まれた押し出し部材３１は、ガイドプレート５２に形成された貫通孔５４の内部を通過して、研磨布５１の裏面に接触し、該研磨布５１を定位置（点線・・Ａ１）から搬送ベルト４２側に押し出し、搬送ベルト４２のパチンコ玉搬送面４６に圧接させる（２点鎖線・・Ａ２）。このように、研磨布５１を搬送ベルト４２に圧接させた状態でパチンコ玉研磨揚送装置１１０（「に」除く）を稼動させて、搬送ベルト４２を周回させる。この搬送ベルト４２の周回により、搬送ベルト４２のパチンコ玉搬送面４６に付着された汚れは、研磨布５１によって払拭される。この搬送ベルト４２の周回が完了すると、その完了信号が制御部（図示しない）に送信され、ソレノイド３４をＯＮさせて、操作レバー３９を元の位置に復帰させる。また、ソレノイド３４に代えて、押し出し部材３１をスプリング（図示しない）で復帰方向に付勢しておけば、第１実施例と同様に、研磨布５１を上方に巻き取り、研磨布５１の払拭面の入れ替えを実施したときに、押し出し部材３１は、元の位置（ガイドプレート５２面と押し出し部材の圧接面３２が同一面になる位置）に復帰する。このような作業により、次に、パチンコ玉研磨揚送装置１００（１１０に）を稼動させるときには、研磨布５１の払拭面も搬送ベルト４２のパチンコ玉搬送面４６も汚れの無い状態でパチンコ玉Ｐを揚送研磨することができ、研磨（払拭）効率を向上させることができる。尚、ベルト払拭機構３を使用する直前に、研磨布５１をわずかに巻き取り、未使用な払拭面を搬送ベルト４２に圧接させて、搬送ベルト４２の周回を行えば、更に、研磨（払拭）効率を向上させることができる点は、第１実施例と同様である。
【００３９】
図５は、パチンコ玉研磨揚送装置の第３実施例を示したものである。この実施例では、パチンコ玉研磨揚送装置１２０に配設されたベルト払拭機構３に洗浄液注入装置８を設けたものである。尚、第１実施例と類似の構成には、同符号を付して詳細な説明は省略する。
【００４０】
洗浄液注入装置８は、押し出し部材３１の圧接体３１ａに設けられている。具体的には、押し出し部材３１が定位置に位置している状態において、圧接体３１ａのケースカバー５に形成された開口５３から前方へ突出している部分に設けられている。そして、この洗浄液注入装置８は、圧接体３１ａの前縁（押圧部材３５側）の幅方向略中央部分に突設された圧力壁８１と、この圧力壁８１の内側に穿設された収納孔８２と、該収納孔８２と連通し、圧接体３１ａの前縁側内部に形成された洗浄液溜８３と、この洗浄液溜８３から圧接体３１ａの圧接面３２まで連通した複数の導管８４とで構成されている。即ち、収納孔８２に収納された洗浄液ペットボトル８５から注入された洗浄液は、一旦、洗浄液溜８３に溜められ、その後、複数の導管８４を通って圧接体３１ａの圧接面３２に導かれ、研磨布５１に浸透する。
【００４１】
この洗浄液注入装置８の使用方法は、まず、収納孔８２に洗浄液ペットボトル８５を開封した状態で収納すると該洗浄液ペットボトル８５から洗浄液が洗浄液溜８３に溜められる。このとき、複数の導管８４の出口を洗浄液溜８３より上に形成しておけば、常態では、洗浄液は出口から吐き出されず、研磨布５１に浸透しない。尚、洗浄液ペットボトル８５の排出口を洗浄液溜８３の内部に挿入しておいて、導管８４の入口をその液面より上に位置させておいても同様な結果が得られる。
【００４２】
上記したように、常態で洗浄液ペットボトル８５から吐き出された洗浄液が研磨布５１に浸透しないように洗浄液ペットボトル８５を収納孔８２にセットする。この状態で操作レバー３９を操作して、押し出し部材３１を研磨布５１方向に移動させると、洗浄液ペットボトル８５は、圧力壁８１とケースカバー５の離間部５５とで挟持圧縮される。その結果、洗浄液は、洗浄液溜８３に圧入され、その圧力で洗浄液溜８３に溜められていた洗浄液は、複数の導管８４を通って研磨布５１に浸透する。尚、洗浄液ペットボトル８５は、圧力壁８１とケースカバー５の離間部５５とで挟持圧縮されているため、収納孔８２から離脱するようなことはない。
【００４３】
このような状態で搬送ベルト４２を周回させれば、研磨布５１と洗浄液の相乗作用でより効果的に搬送ベルト４２のパチンコ玉搬送面４６を払拭する。
【図面の簡単な説明】
【００４４】
【図１】本発明のパチンコ玉研磨搬送装置であるパチンコ玉研磨揚送装置を示した概略斜視図である。
【図２】図１の要部拡大斜視図である。
【図３】図１のベルト払拭機構を示した斜視図である。
【図４】パチンコ玉研磨搬送装置であるパチンコ玉研磨揚送装置の第２実施例を示した斜視図である。
【図５】パチンコ玉研磨搬送装置であるパチンコ玉研磨揚送装置の第３実施例を示した斜視図である。
【符号の説明】
【００４５】
１００、１１０、１２０  パチンコ玉研磨揚送装置（パチンコ玉研磨搬送装置）
２  揚送塔
３  ベルト払拭機構
３１  押し出し部材
３１ａ  圧接体
３１ｂ  被押圧部
３２  圧接面
３３  ガイド溝
３４  ソレノイド（第２実施例）
３５  押圧部材
３６  ガイド支柱
３７  回転軸
３８  カム
３９  操作レバー
４  搬送ケース本体
４ａ  縦壁
４ｂ  側壁
４１  駆動機構
４２  搬送ベルト
４３  回転軸
４４  導入樋
４４ａ  整流路
４５  上部ダクト
４６  パチンコ玉搬送面
４７  シャッター機構（第２実施例）
４７ａ  ベース（第２実施例）
４７ｂ  支持プレート（第２実施例）
４７ｃ  支軸（第２実施例）
４７ｄ  シャッタープレート（第２実施例）
４７ｅ  ソレノイド（駆動機構）
４７ｆ  係止プレート
４７ｇ  係止爪
５  ケースカバー
５ａ  縦壁
５ｂ  側壁
５１  研磨布
５２  ガイドプレート（弾性体）
５２ａ  縦溝
５３  開口
５４  貫通孔
５５  離間部
５６  側壁
６  巻取機構（上側）
６１  巻き取りレバー
６２  サポート部材
７  装着機構（下側）
８  洗浄液注入装置（第３実施例）
８１  圧力壁（第３実施例）
８２  収納孔（第３実施例）
８３  洗浄液溜（第３実施例）
８４  導管（第３実施例）
８５  洗浄液ペットボトル（第３実施例）
Ｐ  パチンコ玉
【図１】
0005198891.tif 000002
【図２】
0005198891.tif 000003
【図３】
0005198891.tif 000004
【図４】
0005198891.tif 000005
【図５】
0005198891.tif 000006